(57)【要約】      （修正有）【課題】平行型の二重瞼を形成するのに好適な二重瞼形成用テープを提供する。【解決手段】瞼に貼り付けられて、当該瞼に二重瞼を形成する略帯状の二重瞼形成用テープ１であって、裏面側には、二重瞼形成用テープ１を瞼に貼り付けるための粘着剤が塗布され、目尻側端部１２に比して目頭側端部１１が幅広に構成されているものを提供する。なお、表面側には、瞼に同化させる化粧模様が施されていてもよく、目頭側端部１１から目尻側端部１２までの長さは、人間の黒目の直径と略同じ長さからなる。また、二重瞼形成用テープ１は、目頭側端部１１の幅方向のラインと、人間の黒目の目頭側の端部のラインとが略一致する位置に貼り付けられるのが好適である。さらに、目頭側端部１１は、幅方向に略線対称な半楕円形状からなるものとするのがよい。【選択図】図１
2019025042.tif 000002
【特許請求の範囲】
【請求項１】
瞼に貼り付けられて、当該瞼に二重瞼を形成する略帯状の二重瞼形成用テープであって、
裏面側には、上記二重瞼形成用テープを瞼に貼り付けるための粘着剤が塗布され、
目尻側端部に比して目頭側端部が幅広に構成されている、
ことを特徴とする二重瞼形成用テープ。
【請求項２】
表面側には、瞼に同化させる化粧模様が施されている、
請求項１記載の二重瞼形成用テープ。
【請求項３】
目頭側端部から目尻側端部までの長さが、人間の黒目の直径と略同じ長さからなる、
請求項１又は２記載の二重瞼形成用テープ。
【請求項４】
上記二重瞼形成用テープは、上記二重瞼形成用テープの目頭側端部の幅方向のラインと、人間の黒目の目頭側の端部のラインとが略一致する位置に貼り付けられる、
請求項３記載の二重瞼形成用テープ。
【請求項５】
目頭側端部は、幅方向に略線対称な半楕円形状からなる、
請求項１乃至４いずれかの項に記載の二重瞼形成用テープ。
【請求項６】
上記請求項１乃至５いずれかの項に記載の二重瞼形成用テープを複数、台紙に剥離可能に仮接着させた、
ことを特徴とするシート。
【発明の詳細な説明】
【技術分野】
【０００１】
本発明は、瞼に貼り付けて二重瞼を形成する二重瞼形成用テープに関する。
【背景技術】
【０００２】
従来、二重瞼を形成するために、美容整形手術が行われているが、費用がかかったり、手術に対する抵抗感から気楽に受けられなかったりすることから、簡易に安く二重瞼を形成することのできるテープや器具、あるいは方法等が提案されている。
【０００３】
この点、特許文献１には、合成樹脂からなるテープ本体の裏面側に粘着剤が塗着され、目じり側が太く目頭側が細い流線形状に形成されてなる二重瞼形成用テープが記載されている。
また、特許文献２には、長手方向に伸長可能で、伸長させた時に弾性的収縮性を有する細長い合成樹脂から成る基材片と、該基材片の両面又は片面に塗着された粘着剤層とを有するテープ状部材により構成され、該基材片の上記弾性的収縮性を利用して瞼にくびれ部を形成することにより、瞼に擬似的な整形を施すための化粧用瞼整形テープであって、上記テープ状部材は、その長手方向の第１端側及び第２端側に、指先での把持に供される一対の把持領域をそれぞれ有すると共に、これら一対の把持領域の間に、所定長さに伸長されて瞼への貼付けに供される貼着領域を有しており、上記貼着領域は、上記第１端側から第２端側に向かって上記基材片の幅が連続的に小さくなる幅縮小区間を１区間のみ有し、且つ、該幅縮小区間よりも上記第１端側に、該幅縮小区間における基材片の最大幅よりも小さい幅の部分を有していないものが記載されている。
【０００４】
【特許文献１】特許第５７６３０３７公報
【特許文献２】特開第２０１７−６５５８号公報
【発明の開示】
【発明が解決しようとする課題】
【０００５】
ところで、二重瞼の形状には、代表的なものとして平行型と末広型がある。平行型は、二重のラインが目頭の位置から形成されているもので、日本人には少なく、欧米人に多いタイプである。末広型は、目頭の位置では一重になっており、目尻に向かって二重になるもので、日本人の二重瞼はこのタイプが多い。一般的には、末広型よりも平行型のほうが目元がぱっちりとした印象となるため、平行型の二重瞼に憧れる声が強く、二重瞼を形成する外科手術などでも平行型が望まれることが多い。
【０００６】
この点、上記特許文献１、２において提案されている二重瞼形成用テープはいずれも、二重瞼を形成することはできるが、きれいな平行型の二重瞼を形成するのに効果的なものではなかった。
【０００７】
そこで、本発明は、平行型の二重瞼を形成するのに好適な二重瞼形成用テープを提供することを目的とする。
【課題を解決するための手段】
【０００８】
上記目的を達成するため、本発明の一の観点に係る二重瞼形成用テープは、瞼に貼り付けられて、当該瞼に二重瞼を形成する略帯状の二重瞼形成用テープであって、裏面側には、上記二重瞼形成用テープを瞼に貼り付けるための粘着剤が塗布され、目尻側端部に比して目頭側端部が幅広に構成されていることを特徴とする。
【０００９】
また、表面側には、瞼に同化させる化粧模様が施されているものとしてもよい。
【００１０】
また、目頭側端部から目尻側端部までの長さが、人間の黒目の直径と略同じ長さからなるものとしてもよい。
【００１１】
また、上記二重瞼形成用テープは、上記二重瞼形成用テープの目頭側端部の幅方向のラインと、人間の黒目の目頭側の端部のラインとが略一致する位置に貼り付けられるものとしてもよい。
【００１２】
また、目頭側端部は、幅方向に略線対称な半楕円形状からなるものとしてもよい。
【００１３】
また、本発明の別の観点に係るシートは、上記二重瞼形成用テープを複数、台紙に剥離可能に仮接着させたことを特徴とする。
【発明の効果】
【００１４】
本発明によれば、容易に平行型の二重瞼を形成することができる。また、二重瞼形成用テープを瞼に貼り付けた状態において、二重瞼形成用テープが目立つこともない。
【図面の簡単な説明】
【００１５】
【図１】本発明の実施形態に係る二重瞼形成用テープを示した図であって、（ａ）瞼に貼り付けた後の状態、（ｂ）瞼に貼り付ける前の状態、（ｃ）外縁形状を明確にした模式図を示す。
【図２】本実施形態に係る二重瞼形成用テープを仮接着させたシートを示す平面図である。
【図３】本実施形態に係る二重瞼形成用テープを瞼に貼り付ける工程を説明する図である。
【図４】本実施形態に係る二重瞼形成用テープを瞼に貼り付ける工程を説明する図である。
【発明を実施するための最良の形態】
【００１６】
以下、本発明の実施形態に係る二重瞼形成用テープについて、図を参照して説明する。
図１に示される二重瞼形成用テープ１は、可撓性を有する略帯状の薄いテープであり、瞼に貼り付けられて、当該瞼に平行型の二重瞼を形成する
なお、以下の説明において、二重瞼形成用テープ１の表面には後述のとおり化粧模様が施されているが、図１（ａ）及び図２（ｂ）を除き、図示を明確化するため化粧模様の描写は省略している。
【００１７】
二重瞼形成用テープ１はその形状において、長さ方向の一端部が他端部に比して幅広に構成され、幅広の一端部が目頭側端部１１となり、幅狭の他端部が目尻側端部１２となる。また、目尻側端部１２から目頭側端部１１にかけて緩やかに幅が広くなっている。
目頭側端部１１は、幅方向に略線対称、且つ幅方向を長辺とした略半楕円形状からなり、その上下端と、長さ方向に延びる上辺１ａと下辺１ｂとの境界部分は、Ｒ状に緩やかに繋がっている。
幅方向の上下の辺である上辺１ａと下辺１ｂは略弧状に湾曲している。上辺１ａが目頭側から目尻側にかけて緩やかに下降線を描くのに対し、下辺１ｂは目頭側から目尻側にかけて略アーチ形状を描いている。
【００１８】
二重瞼形成用テープ１のサイズについて、その一例は、長さが12.8mm、幅は、最大となる目頭側端部１１近傍において2.8mmである。特に二重瞼形成用テープ１の長さは、人間の黒目の直径と略同じ長さによって構成され、少なくとも、黒目の目頭側の端部から目尻までの長さを超えない長さによって構成される。
なお、人間の黒目の直径の平均値はおよそ11.5mm〜12.5mmであり、正面を見据えた際の黒目の目頭側の端部から目尻までの長さはおよそ20mmである。
【００１９】
二重瞼形成用テープ１は、透明、半透明、あるいは人肌色のものが好適であり、その材質には例えば、ポリエステル、ポリエチレン、ポリウレタン、ペット樹脂、ポリオレフィン、アセテート等が用いられる。なお、この二重瞼形成用テープ１には、通気用の貫通孔が設けるなど、通気性が確保されていてもよい。
【００２０】
二重瞼形成用テープ１の裏面側には、アクリル系粘着剤やゴム系粘着剤等の粘着剤が塗布されており、これにより、裏面側を瞼に貼り付けることができる。粘着剤は裏面側にのみ塗布されているため、両面に塗布された粘着剤が瞼に貼りつくテープとは異なり、二重のラインが自然で、特に目を閉じた際に違和感がない。
【００２１】
二重瞼形成用テープ１の表面側には、二重瞼形成用テープ１を瞼に同化させるための化粧模様が施されている。化粧模様は例えば、まだらな肌色模様によって構成される。これにより、二重瞼形成用テープ１を瞼に貼り付けた際、二重瞼形成用テープ１が目立つことなく肌に同化して、二重瞼形成用テープを１使用していることが分かりにくい。
【００２２】
このような構成からなる二重瞼形成用テープ１は、表面側から見て目頭側端部１１が左側、目尻側端部１２が右側に位置するものが左目の瞼に貼りつけられる左目用となり、表面側から見て目頭側端部が右側、目尻側端部１２が左側に位置するものが右目の瞼に貼りつけられる右目用となる。本実施形態に係る二重瞼形成用テープ１は、この左右の目それぞれに用意された一対の二重瞼形成用テープ１によって、使用者の両目に二重瞼を形成させることができる。
【００２３】
なお、二重瞼形成用テープ１は図２に示されるように、使用者に提供される際には複数、互いに離間させた状態で台紙２１に剥離可能に仮接着させたシート２とするのが好適である。
台紙２１は、表面に剥離剤がコーティングされたＰＥＴフィルムや紙片等からなり、仮接着される二重瞼形成用テープ１の裏面に塗布されている粘着剤の粘着力を損なうことなく二重瞼形成用テープ１に仮接着している。使用者は使用の際、二重瞼形成用テープ１を台紙２１から剥がし、自らの瞼に貼り付ける。
【００２４】
次に、本実施形態に係る二重瞼形成用テープ１を使用者の瞼に貼り付ける手順、並びに使用者の瞼に形成される平行型の二重瞼について説明する。
使用者は図３に示されるように、できる限り目を閉じた状態で、二重瞼形成用テープ１を自らの瞼に裏面側から貼り付ける。この際、図４に示されるように、二重瞼形成用テープ１の幅広の目頭側端部１１を目頭側とし、二重瞼形成用テープ１の目頭側端部１１の幅方向のラインと、使用者の黒目の目頭側の端部の幅方向のラインが略同一直線上にくる、あるいは略一致するようにする。図４では、この仮想的なラインをラインＭとして示している。また、二重瞼形成用テープ１の上辺１ａが、瞼に形成する二重瞼のラインＬと一致するように貼り付ける。
【００２５】
なお、二重瞼形成用テープ１を瞼に貼りつける際には予め、棒状の部材を瞼に押し当てて二重瞼のラインLを位置決めしておき、瞼に二重瞼形成用テープ１を貼り付けた後は、上から二重瞼形成用テープ１を瞼上に押し当てて剥がれることがないようにするとよい。
【００２６】
このように二重瞼形成用テープ１が瞼に貼り付けられると、目を開けた状態において、二重瞼形成用テープ１の上辺１ａが当該部分の瞼に食い込むように弧状の二重のラインＬを形成する。また、瞼の目頭近傍には、二重瞼形成用テープ１の上辺１ａ近傍に形成された二重のラインＬに沿って自然な二重のラインＬが形成される。
ここで、目頭近傍の瞼は、目頭に被さる蒙古ひだがあるなどして比較的厚みがあり、二重のラインＬが瞼で埋もれやすい。しかし、本実施形態に係る二重瞼形成用テープ１は目頭側が幅広で、目の上縁と二重のラインＬの間の瞼が垂れたりすることがないように固定される。その結果、目の上縁と二重のラインＬの間の幅が広く、目頭の位置からくっきりときれいな二重のラインＬが形成された平行型の二重瞼が形成される。
さらに、本実施形態に係る二重瞼形成用テープ１はその長さが人間の黒目の直径と略同程度で、目頭及び目尻近傍には貼り付けられないことから、二重瞼形成用テープ１の使用時において、二重のラインＬの端部から二重瞼形成用テープ１の端部がはみ出ることなく目立たない。
【符号の説明】
【００２７】
１        二重瞼形成用テープ
１１      目頭側端部
１２      目尻側端部
１ａ      上辺
１ｂ      下辺
２        シート
２１      台紙
Ｌ        ライン
Ｍ        ライン
【図１】
2019025042.tif 000003
【図２】
2019025042.tif 000004
【図３】
2019025042.tif 000005
【図４】
2019025042.tif 000006